(57)【要約】【課題】本考案はテールピースをギターボディに固定する事でギターボディへの弦振動伝達を大幅に向上させ、弦交換時のテールピース落下を防止する事が出来る。【解決手段】本考案は固定器具のボルトの押えフランジ２と本考案固定器具であるカラーの受けフランジ６の間にテールピース端部９配置し、ギターボディ１２に埋設された雌ネジアンカー１１にボルトの雄ネジ部５を螺合、締め付ける事でギターボディ１２に固定、ギターボディ１２への弦振動伝達を向上させる事によりギターの音質向上に役立ち、弦交換時のテールピース落下によるギターボディへのダメージを防ぐ事に役立つ。【選択図】図１
0003114118.tif 000002
【実用新案登録請求の範囲】
【請求項１】
ギターの弦端末を固定する枠体であるテールピース両端をギターボディ方向に上面側から押さえつける押えフランジを上部に形成したボルトと、そのボルトを挿通させる挿通穴を形成し上部にはテールピース両端を底面側から支える受けフランジを形成しているカラーを具備しており、そのボルトとカラーとでテールピースの両端を挟み込み、ギターボディに埋設された雌ネジアンカーへボルトの雄ネジ部分を螺合させ、締め付ける事でテールピースをギターボディに固定する事を特徴としたテールピースの固定器具。
【考案の詳細な説明】
【技術分野】
【０００１】
本考案は、弦の端末を固定する枠体であるテールピースをギターボディに固定するボルト、カラーに関するものである。
【背景技術】
【０００２】
ギター用のテールピースは、図５に示すような弦の端末を固定する枠体である。その枠体であるテールピースは、図６の上段に示されたギターボディ１２に埋設された雌ネジアンカー１１に螺合された昇降ボルトの上部に設けられた係止部２１にその端部９を係止する様に形成されている。
そして上記テールピースの端部９には図６の下方向であるギターのヘッド方向に開口する切欠部１０が形成されていて、この切欠部１０に上記昇降ボルトが嵌入すると共に、テールピースの切欠部１０部分が係止部２１により係止される様に作られている。
このために上記係止部１２には、上下に間隔を置いて１対のフランジ２０、２２が設けられており、このフランジ２０、２２の間にテールピースの切欠部１０周辺部分が嵌入される様になっている。
この様なテールピースは、図７に示すように弦２６を展張した時に、テールピースが弦の張力で図７の左側方向であるヘッド側へ引寄せられるため、この張力によってテールピースの端部９が昇降ボルトに係止されるものであり、又上記昇降ボルトを回転させる事で、該昇降ボルトの雄ネジ部２３をギターボディ１２に埋設された雌ネジアンカー１１内で昇降させる事が出来るから、この様にしてテールピースの端部９を昇降させて弦高を調整している。
【特許文献１】特開平０３−１１６０９５号公報
【考案の開示】
【考案が解決しようとする課題】
【０００３】
上述した従来技術の昇降ボルトは弦を展張した後にテールピース端部９の高さを調整するため、図７で示すようにテールピースと固定される構造ではなく、昇降ボルトに固定設置された一対の上下フランジ２０、２２間の係止部２１にテールピースの端部９が弦張力でのみで係止されているため、テールピースと昇降ボルトの上フランジ２０とテールピース端部９との間２５、下フランジとテールピース端部９との間２４にはそれぞれガタツキが生じている。
また昇降ボルトはテールピースの高さ調整のため図７で示すようにその雄ネジ部２３がギターボディ１２に埋設された雌ネジアンカー１１に螺合されているだけで締め付けられている状態ではなく、昇降ボルトの雄ネジ部２３と雌ネジアンカー１１との間２７にもガタツキが生じている。
上記のような図７で示すテールピースと昇降ボルトの間２４，２５でのガタツキ、さらに昇降ボルトの雄ネジ部２３と雌ネジアンカー１１の間２７でのガタツキによりギターにとって非常に重要なギターボディ１２への弦振動伝達が低減され、これによってギターのマイクであるピックアップ１４に捕捉される弦振動の伝達が損なわれているという問題がある。
また従来技術の昇降ボルトでは図７で示すようにテールピースが弦張力でのみ昇降ボルトに係止されているため、弦張力が失われる弦交換時にテールピースが落下する危険性があり、ギターボディ１２へのダメージの原因にもなっている。
【課題を解決するための手段】
【０００４】
ギターの弦端末を固定する枠体であるテールピース両端をギターボディ方向に上面側から押さえつける押えフランジを上部に形成したボルトと、そのボルトを挿通させる挿通穴を形成し上部にはテールピース両端を底面側から支える受けフランジを形成しているカラーを具備しており、そのボルトとカラーとでテールピースの両端を挟み込み、ギターボディに埋設された雌ネジアンカーへボルトの雄ネジ部分を螺合させ、締め付ける事でテールピースをギターボディに固定する。
【考案の効果】
【０００５】
上述のように本考案固定器具のボルトとカラーを使用する事で図４に示すようにボルト上部の押えフランジ２と雌ネジアンカー１１の間に高い圧着性が生じ、その高い圧着性のため上記の押えフランジ２とテールピース両端部９との間１５、テールピース両端部９とカラー上部の受けフランジ６との間１８、ボルト雄ネジ部５と雌ネジアンカー１１の間にガタツキが無くなり、弦振動の伝達が大幅に向上、音の伸び・音圧・音質の面で驚異的な効果が出た。また上述のようにテールピースを雌ネジアンカー１１に固定する事がすなわち雌ネジアンカー１１が埋設されたギターボディ１２へ固定をする事となり、弦張力が失われる弦交換時にテールピースが落下する事が無くなり、テールピース落下によるギターボディ１２へのダメージの危険が無くなった。
【考案を実施するための最良の形態】
【０００６】
本考案固定器具はボルトとカラーで構成されており、図１はその実施図解の斜視図、図２は本考案固定器具のボルトの斜視図、図３は本考案固定器具のカラーの斜視図である。
【０００７】
本考案固定器具のボルトはテールピースの端部９をギターボディ１２に上面から固定するボルトである。図２に示すようにその上部はテールピース端部９上面をギターボディ１２方向へ押さえつける押えフランジ２を形成しており、その形状はテールピース端部９に対し回転でキズが付かないよう円筒形となっている。その上面にはマイナスドライバーによりボルトを回転させる事が出来るマイナス溝１が形成してあり、締め付け方向に回す事で図１に示すギターボディ１２に埋設された雌ネジアンカー１１へ螺合、締め付けする事が出来る。押えフランジ２の下にはテールピースの端部９にある切欠部１０が係止される係止部３が円筒形に形成されている。係止部３と雄ネジ部５の間には実施時にボルトと図３で示すカラーの挿通穴８との間でガタツキが生じないように挿通穴の内側に密着するようガタ防止部４が形成されている。ボルトの最下部はギターボディ１２に埋設された雌ネジアンカー１１に螺合するための雄ネジ部５からなっている。
【０００８】
本考案固定器具のカラーは図３で示すようにテールピース端部９をギターボディ側で支えるチューブ状の可動式フランジであり、上面にはテールピース端部９を下面側から支える受けフランジ６が形成されている。その受けフランジ６は上記ボルトの押えフランジ２と同じ直径で形成されている。下部にはその長さによりテールピース９の高さを調整するスリーブ部７が形成されており、安定した状態でテールピースの高さを調整する事が出来る。縦軸の中心にはボルトが挿通する挿通穴８が貫通されており、この挿通穴８にボルトを挿通させて実施する。
【０００９】
上記ボルトを上記カラーの挿通穴８に挿通させ上記ボルトの押えフランジ２の下側と上記カラーの受けフランジ６の上側との間にテールピース端部９を挟む形で配置、ボルトの雄ネジ部５を雌ネジアンカー１１に螺合、ボルト上部のマイナス溝１にドライバーを差込み、締め付け方向に回転させる事によりボルトの押えフランジ２がテールピースの端部９上面を押さえつけ、上記カラーと共に雌ネジアンカー１１に締め付け、固定する。雌ネジアンカー１１はギターボディに埋設されているからすなわちテールピースをギターボディ１２に固定する事となる。
【図面の簡単な説明】
【００１０】
【図１】本考案固定器具取り付け実施図解の斜視図である。
【図２】本考案固定器具ボルト斜視図である。
【図３】本考案固定器具カラー斜視の一部切欠図である。
【図４】本考案固定器具取り付け実施の前面断面図である。
【図５】ギター用テールピースの斜視図である。
【図６】従来技術テールピース支持ボルト取り付け実施図解の斜視図である。
【図７】従来技術テールピース支持ボルト取り付け実施の側面断面図である。
【符号の説明】
【００１１】
１  マイナス溝
２  押えフランジ
３  テールピース係止部
４  ガタ防止部
５  雄ネジ部
６  受けフランジ
７  高さ調整スリーブ部
８  ボルト挿通穴
９  テールピースの端部
１０  テールピースの切欠部
１１  雌ネジアンカー
１２  ギターボディ
１３  ブリッジ
１４  ピックアップ
１５  押さフランジとテールピースの接点
１６  ボルトとアンカーの接点
１７  カラーとアンカーの接点
１８  受けフランジとテールピースの接点
１９  従来技術昇降ボルトの昇降用マイナス溝
２０  従来技術昇降ボルトの上フランジ
２１  従来技術昇降ボルトのテールピース係止部
２２  従来技術昇降ボルトの下フランジ
２３  従来技術昇降ボルトの雄ネジ部
２４  従来技術昇降ボルトの下フランジとテールピース端部とのガタ
２５  従来技術昇降ボルトの上フランジとテールピース端部とのガタ
２６  弦
２７  従来技術昇降ボルトの雄ネジ部とアンカーの雌ネジ部とのガタ
【図１】
0003114118.tif 000003
【図２】
0003114118.tif 000004
【図３】
0003114118.tif 000005
【図４】
0003114118.tif 000006
【図５】
0003114118.tif 000007
【図６】
0003114118.tif 000008
【図７】
0003114118.tif 000009